(57)【要約】【課題】  過大な労力を要さずに食事を継続するのに必要な光量を得ることができる一方、コストの増大を可及的に抑制し得る卓上用具セット提供する。【解決手段】  食器１１は食器１１の外径より大きい外径になした担持用具たる基皿３に載置してある。基皿３は陶磁器材等を用いて構成してあり、少なくとも基皿３の前記食器１１に対向する部分以外の部分には、可視光線より短波長の光線の照射により発光する顔料又は塗料を用いてなる発光部３０が設けてある。また、テーブルクロス２は、天然繊維及び／又は合成繊維を用いてなる生地に、例えば前記顔料を定着剤で結着させて、少なくとも前記卓上領域に発光部２０が形成してある。【選択図】  図１
0003141855.tif 000002
【実用新案登録請求の範囲】
【請求項１】
飲食物を盛り付ける食器を含み、卓上で使用される複数の卓上用具を備える卓上用具セットにおいて、
前記食器を担持する担持用具を備え、該担持用具の少なくとも担持した食器に対向する部分の周囲領域に、可視光線より短波長の光線の照射により発光する発光部が設けてあることを特徴とする卓上用具セット。
【請求項２】
前記担持用具として、前記食器を載置する基皿と、卓上に敷設され、前記基皿が載置される敷物とを具備し、該敷物の発光部は載置される基皿の周囲の適宜領域に設けてある請求項１記載の卓上用具セット。
【請求項３】
前記敷物の発光部の発光強度は前記基皿の発光部の発光強度より弱くなしてある請求項２記載の卓上用具セット。
【請求項４】
更に、コースター及び／又は造花及び／又はナプキン及び／又は該ナプキンを留める留め具を備え、前記コースター及び／又は造花及び／又はナプキン及び／又は留め具には、可視光線より短波長の光線の照射により発光する発光部が設けてある請求項１から３のいずれかに記載の卓上用具セット
【考案の詳細な説明】
【技術分野】
【０００１】
本考案は、卓上で使用する卓上用具セットに関する。
【背景技術】
【０００２】
例えば、披露宴会場又はパーティ会場等にあっては、演出に伴って会場内の照明を暗くする操作がなされるが、披露宴又はパーティの進行が遅滞することを防止すべく、周囲の雰囲気に悪影響を及ぼすことなく、卓上を明るくさせて食事を継続し得る技術が要望されている。
【０００３】
そのため、例えば、透光性の皿本体の底面に凹部を設け、この凹部内に発光体及び電池を備える発光ユニットを着脱自在に組み込んでなり、前記発光ユニットを発光させて食卓のモードを変化させるようになした食器皿が考案されている（例えば、特許文献１参照）。
【特許文献１】実開平７−２０９３３号公報
【考案の開示】
【考案が解決しようとする課題】
【０００４】
しかしながら、このような従来の食器皿にあっては、食器皿の洗浄作業における発光ユニットの脱着作業、及び電池寿命による電池交換作業に過大な労力を要するという問題があった。
これに対して、皿本体の内面に、可視光線より短波長の光線の照射により発光する塗料を塗布してなる発光部を備える食器皿が開発されている。
このような食器皿にあっては、例えばブラックライトからの照射光によって前記発光部を発光させることができるため、前述した発光ユニットの交換及び電池交換といった作業が不要となる。
【０００５】
しかし、食物を盛り付ける食器皿の内面に発光部を設けた場合、当該食器皿に盛られた食物によって発光部が覆われてしまうことがあり、これを回避すべく食器皿の直径を大きくすると製造コストが嵩む。加えて、複数種類の食物を提供する所謂コース料理にあっては、提供する食物の種類に応じて複数の食器皿を使用するが、披露宴というように複数のユーザが会食する会場にあっては各ユーザでその進行が異なるため、全種類に係る食器皿に発光部を設けておかなければならず、食器皿に要するコストが更に増大する。
【０００６】
本考案は、斯かる事情に鑑みてなされたものであって、過大な労力を要さずに食事を継続するのに必要な光量を得ることができる一方、コストの増大を可及的に抑制し得る卓上用具セット提供する。
【課題を解決するための手段】
【０００７】
（１）本考案に係る卓上用具セットは、飲食物を盛り付ける食器を含み、卓上で使用される複数の卓上用具を備える卓上用具セットにおいて、前記食器を担持する担持用具を備え、該担持用具の少なくとも担持した食器に対向する部分の周囲領域に、可視光線より短波長の光線の照射により発光する発光部が設けてあることを特徴とする。
【０００８】
本考案の卓上用具セットは、ディナー皿、スープ皿及び／又はサラダボール等、飲食物を盛り付ける食器を担持する担持用具を備えている。そして、この担持用具の少なくとも担持した食器に対向する部分の周囲領域に、可視光線より短波長の光線の照射により発光する発光部が設けてある。従って、前述した如き交換作業が不要であり、過大な労力を要さずに食事を継続するのに必要な光量を得ることができる。
一方、食器を担持する担持用具に発光部が設けてあるので、従来の食器を用いることができ、所謂コース料理であっても、担持用具に担持される食器を交換するだけで、担持用具は交換せずともよいため、食器に要するコストの増大を可及的に抑制し得る。
【０００９】
（２）また、本考案に係る卓上用具セットは必要に応じて、前記担持用具として、前記食器を載置する基皿と、卓上に敷設され、前記基皿が載置される敷物とを具備し、該敷物の発光部は載置される基皿の周囲の適宜領域に設けてあることを特徴とする。
本考案の卓上用具セットは、担持用具として、食器を載置する基皿と、卓上に敷設され、基皿が載置される敷物とを具備している。敷物としては織物ののように可撓性を有するものであっても、板材のように可撓性を有さないものであってもよい。
【００１０】
このように、食器を載置する基皿に発光部が設けてあるため、食器により近い位置から食器内を十分に照明することができ、該食器内に盛り付けられた飲食物を的確に食することができるとともに、飲食物の形態、形状及び種類等を認識することができるため、食事を堪能することができる。
【００１１】
また、基皿の発光部及び敷物の発光部の発光によって、基皿に臨んで着席しているユーザの表情もその周囲の他のユーザに認識させることができ、照明が暗くなされた雰囲気を可及的に悪影響を及ぼすことなく、より自然に会食を楽しむことができる。従って、会場の進行が阻害されない。
【００１２】
一方、卓上に敷設され、基皿が載置される敷物の発光部は、載置される基皿の周囲の適宜領域に設けてあり、該発光部にナイフ、フォーク等を配列させるようになっている。
これによって、照明を暗くした場合であっても、敷物の発光部が発光するため、ユーザは敷物上に配置された複数のナイフ及びフォークから所要のナイフ及びフォークを選択してそれらを把持することができる。
【００１３】
（３）一方、本考案に係る卓上用具セットは必要に応じて、前記敷物の発光部の発光は強度前記基皿の発光部の発光強度より弱くなしてあることを特徴とする。
【００１４】
従って、敷物の発光部に要する原料を少なくすることができため、製造コストの上昇を可及的に抑制することができる。一方、敷物の発光部の発光強度が比較的弱い場合であっても、ユーザは敷物上に配置された複数のナイフ及フォークから所要のナイフ及びフォークを選択してそれらを把持することができる。更に、比較的発光面積が広い敷物の発光部の発光強度を相対的に弱くすることによって、照明が暗くなされた雰囲気に及ぼす影響を可及的に少なくすることができる。
【００１５】
（４）また、本考案に係る卓上用具セットは必要に応じて、更に、コースター及び／又は造花及び／又はナプキン及び／又は該ナプキンを留める留め具を備え、前記コースター及び／又は造花及び／又はナプキン及び／又は留め具には、可視光線より短波長の光線の照射により発光する発光部が設けてあることを特徴とする。
【００１６】
このようにコースター及び／又は造花及び／又はナプキン及び／又は留め具には、可視光線より短波長の光線の照射により発光する発光部が設けてあるため、担持用具として比較的小さな敷物を用いた場合であっても、コースター上に載置したコップ、造花の周囲に配置された塩入り用具又はコショウ入り用具といった他の卓上用具、当該ナプキン、当該留め具を、可視照明を暗くした状態下において確実に認識し、使用することができる。
このように、比較的小さな敷物を用いることができるため、敷物の製造コストを可及的に廉価にすることができる。
【考案を実施するための最良の形態】
【００１７】
（本考案の第１実施形態）
図１は、本考案に係る卓上用具セットの一例を示す模式的斜視図である。なお、本考案に係る卓上用具セットはこれに限られないことはいうまでもない。
図１に示した如く、テーブル１の上面はテーブルクロス２（敷物）で覆ってあり、このテーブルクロス２のテーブル１に対向する卓上領域上の適宜位置には、料理、果物又はスープ等の飲食物を盛り付ける食器１１が配置してある。食器１１上には、例えばリング状の留め具６によってその中央部分を留められたナプキン５が載置してあり、また、食器１１の周囲には複数のナイフ１２，１２及びフォーク１３，１３が所定の位置関係になるように配列してある。
【００１８】
また、食器  から適宜距離を隔てた位置には１又は複数（図１にあっては２つ）のグラス１４，１４が配置してある。
そして、食器１１は、当該食器１１の外径より大きい外径になした担持用具たる基皿（ショープレート）３の略中央に載置してある。
【００１９】
この基皿３は陶磁器材、ガラス材、合成樹脂材、木材又は金属材等を用いて構成してあり、円形、多角形、楕円形等、適宜の形状に成形してある。少なくとも基皿３の前記食器１１に対向する部分以外の部分には、可視光線より短波長の光線の照射により発光する顔料（無機系材料）又は染料若しくは塗料（有機系材料）を用いてなる発光部３０が設けてあり、該発光部３０は、主にブラックライトからの照射光によって発光するようになっている。
【００２０】
また、前述したテーブルクロス２は、天然繊維及び／又は合成繊維を用いてなる生地に、例えば前記顔料を定着剤で結着させて、少なくとも前記卓上領域に発光部２０が形成してある。かかる定着剤として、例えば天然繊維の生地に対してはタンパク質を用いることができる。なお、塗料を用いる場合は、かかる定着剤は不要である。
このような卓上用具セットにあっては、周囲の照明を暗くする一方、図示しないブラックライトから可視光線より短波長の光線が照射されると、図２に示したように、基皿３の発光部３０、及びテーブルクロス２の発光部２０が共に発光する。
【００２１】
このように、照明を暗くした場合であっても、テーブルクロス２の発光部２０が発光するため、ユーザはテーブルクロス２上に配置された複数のナイフ１２，１２及びフォーク１３，１３から所要のナイフ１２及びフォーク１３を選択してそれらを把持することができる。また、基皿３の発光部３０が発光するため、ユーザは食器１１上の食物Ｆを的確に食することができるとともに、食物Ｆの形状及び種類等を認識することができるため、食事を堪能することができる。
【００２２】
一方、基皿３の発光部３０の発光によって、基皿３に臨んで着席しているユーザの表情もその周囲の他のユーザに認識させることができ、照明が暗くなされた雰囲気を可及的に悪影響を及ぼすことなく、より自然に会食を楽しむことができる。従って、会場の進行が阻害されない。
【００２３】
このとき、テーブルクロス２の発光部２０の発光強度は基皿３の発光部３０の発光強度より弱くしてある。これによって、テーブルクロス２の発光部２０に要する原料を少なくすることができため、製造コストの上昇を可及的に抑制することができる。一方、テーブルクロス２の発光部２０の発光強度が比較的弱い場合であっても、ユーザはテーブルクロス２上に配置されたナイフ１２，１２及びフォーク１３，１３から所要のナイフ１２及びフォーク１３を選択してそれらを把持することができる。更に、比較的発光面積が広いテーブルクロス２の発光部２０の発光強度を相対的に弱くすることによって、照明が暗くなされた雰囲気に及ぼす影響を可及的に少なくすることができる。
一方、食器１１の近傍に配される基皿３の発光部２０の発光強度が相対的に強いため、食器１１内の食物Ｆを十分に照らすことができる。
【００２４】
また、基皿３に発光部  が設けてあるため、所謂コース料理の場合であっても、発光部が設けられていない従来の食器１１を用い、一の食器１１を他の食器１１に置き換えるだけでコース料理を提供することができる。従って、食器１１に要するコストの増大を可及的に抑制することができる。
ところで、このような卓上用具セットにあっては、可視光線より短波長の光線によって前記発光部２０,３０を発光させるため、電池交換といった作業が不要である。
【００２５】
（本考案の第２実施形態）
図３は、本考案の第２実施形態に係る卓上用具セットの構成を示す模式的斜視図であり、所定の卓上用具が発光している状態を示している。なお、図中、図１に示した部分に対応する部分には同じ番号を付してその説明を省略する。
図３に示したように、テーブルクロス２上の適宜位置には、ランチョンマットといった小型敷物４（担持用具）が配設してあり、この小型敷物４上に基皿３、食器１１、ナイフ１２，１２及びフォーク１３，１３が前同様に配置してある。
【００２６】
また、食器１１から適宜距離を隔てた位置には１又は複数（図１にあっては２つ）のコースター８，８が配置してあり、コースター８，８上にはそれぞれグラス１４，１４が載置してある。
更に、テーブル１の中央位置には、花瓶といった適宜の容器１０が配置されており、該容器１０には複数の造花７，７，…が生けられている。
【００２７】
基皿３には前述した発光部３０が設けてある。また、小型敷物４には、前述したテーブルクロス２の発光部２０（図２参照）と同様にして形成した発光部４０が設けてあり、基皿３の発光部３０の発光強度より弱い発光強度になしてある。
なお、小型敷物４は発光剤を混合させた合成樹脂製のシート材、又は合成樹脂製のシート材に塗料を塗布して構成してもよい。一方、前同様、天然繊維に発光性を有する顔料を結合剤を用いて結着させてもよい。更に、小型敷物４は、陶磁器材、ガラス材、木材又は金属材を用いて構成してもよい。
【００２８】
一方、コースター８，８は、陶磁器材、ガラス材、合成樹脂材、木材又は金属材を用いて構成してあり、円形、多角形、楕円形等、適宜の形状に成形してある。少なくともコースター８，８の一面には、可視光線より短波長の光線の照射により発光する顔料（無機系材料）又は塗料（有機系材料）を用いてなる発光部８０，８０がそれぞれ設けてあり、該発光部８０，８０は、主にブラックライトからの照射光によって発光するようになっている。
【００２９】
また、造花７，７，…は、布材、紙材、陶磁器材、ガラス材又は合成樹脂材等で構成してあり、造花７，７，…の花びら及び／又は葉茎等の部分には可視光線より短波長の光線の照射により発光する顔料（無機系材料）又は塗料（有機系材料）を用いてなる発光部７０，７０がそれぞれ設けてある。
更に、留め具６及びナプキン５にもそれぞれ発光部６０,５０が設けてある。
【００３０】
このような卓上用具セットにあっては、会場の照明を暗くした場合であっても、図示しないブラックライトからの照射によって留め具６及びナプキン５の発光部６０,５０が発光するため、ユーザは留め具６及びナプキン５を手に取って、ナプキン５から留め具６を外しして、ナプキン５のみを使用することができる。
【００３１】
また、前同様、照明を暗くした場合であっても、小型敷物４の発光部４０が発光するため、ユーザは小型敷物４上に配置された複数のナイフ１２，１２及びフォーク１３，１３から所要のナイフ１２及びフォーク１３を選択してそれらを把持することができる。また、基皿３の発光部３０が発光するため、ユーザは食器１１上の食物を的確に食することができるとともに、食物の形状及び種類等を認識することができるため、食事を堪能することができる。
【００３２】
一方、基皿３の発光部３０の発光によって、基皿３に臨んで着席しているユーザの表情もその周囲の他のユーザに認識させることができ、照明が暗くなされた雰囲気を可及的に悪影響を及ぼすことなく、より自然に会食を楽しむことができる。従って、会場の進行が阻害されない。
【００３３】
このとき、小型敷物４の発光部４０の発光強度は基皿３の発光部３０の発光強度より弱くしてある。これによって、小型敷物４の発光部４０に要する原料を少なくすることができため、製造コストの上昇を可及的に抑制することができる。一方、小型敷物４の発光部４０の発光強度が比較的弱い場合であっても、ユーザは小型敷物４上に配置されたナイフ１２，１２及びフォーク１３，１３から所要のナイフ１２及びフォーク１３を選択してそれらを把持することができる。更に、比較的発光面積が広い小型敷物４の発光部４０の発光強度を相対的に弱くすることによって、照明が暗くなされた雰囲気に及ぼす影響を可及的に少なくすることができる。
一方、食器１１の近傍に配される基皿３の発光部３０の発光強度が相対的に強いため、食器１１内の食物を十分に照らすことができる。
【００３４】
また、基皿３に発光部３０が設けてあるため、所謂コース料理の場合であっても、発光部が設けられていない従来の食器１１を用い、一の食器１１を他の食器１１に置き換えるだけでコース料理を提供することができる。従って、食器１１に要するコストの増大を可及的に抑制することができる。
【００３５】
ところで、担持用具として小型敷物４を用いた場合であっても、前述した如く発光部８０、７０、５０、６０が発光するため、コースター８，８上に載置したグラス１４，１４、造花７，７，…の周囲に配置された塩入り用具又はコショウ入り用具といった他の卓上用具（図示せず）、ナプキン５、留め具６を、可視照明を暗くした状態下において確実に認識し、使用することができる。
一方、相対的に面積が狭い小型敷物４の発光部４０を用いることができるため、前述したテーブルクロス２の発光部２０に比べて製造コストを廉価にすることができる。
【図面の簡単な説明】
【００３６】
【図１】本考案に係る卓上用具セットの一例を示す模式的斜視図である。
【図２】図１に示した卓上用具セットに可視光線より短波長の光線を照射した状態を示す模式的斜視図である。
【図３】本考案の第２実施形態に係る卓上用具セットの構成を示す模式的斜視図である。
【符号の説明】
【００３７】
１    テーブル
２    テーブルクロス
３    基皿
４    小型敷物
５    ナプキン
６    留め具
７    造花
８    コースター
１１    食器
２０    発光部
３０    発光部
４０    発光部
５０    発光部
６０    発光部
７０    発光部
８０    発光部
Ｆ    食物
【図１】
0003141855.tif 000003
【図２】
0003141855.tif 000004
【図３】
0003141855.tif 000005